(57)【特許請求の範囲】
【請求項１】
光源からの照明光を導入する受光部と、前記受光部から導入した前記照明光を正面側に反射して射出することにより、前記正面側から視認したとき光輝する複数の反射射出部とを有し、前記反射射出部の光輝によって所定の表示を行う導光部材を備えた照明装置であって、
前記導光部材には、前記受光部から前記反射射出部に至る照明経路中に前記照明光を前記反射射出部側に向けて反射するための反射手段が設けられてなり、
前記反射手段が、前記各反射射出部のうち第１の反射射出部に前記照明光を反射させる第１の反射部と、前記第１の反射射出部の形成箇所よりも前記光源に近い位置となる第２の反射射出部に前記照明光を反射させる第２の反射部と、前記第２の反射射出部の形成箇所よりも前記光源に近い位置となる第３の反射射出部に前記照明光を反射させる第３の反射部とを備え、
前記第２の反射部と前記第３の反射部とを組み合わせた形状の断面形状が鋸歯形状となっており、
前記第２の反射部は鋸歯形状を水平ラインで上下半分に分けたときの下側部分に相当する谷形状をなすとともに前記第３の反射部は鋸歯形状を前記水平ラインで上下半分に分けたときの上側部分に相当する山形状をなすことを特徴する照明装置。
【請求項２】
前記導光部材の前方側には、前記各反射射出部に対応した複数の貫通孔部を有する表示板が配設されてなることを特徴とする請求項１記載の照明装置。
【発明の詳細な説明】
【技術分野】
【０００１】
本発明は、光源からの照明光を導入する受光部と、この受光部から導入した照明光を正面側に反射して射出することにより、正面側から視認したとき光輝する複数の反射出光部とを有し、反射出光部の光輝により所定の表示を行う導光部材を備えた照明装置に関する。
【背景技術】
【０００２】
従来、この種の照明装置にあっては、例えば、車両に搭載されたスピードメータに用いたものが下記特許文献１として提案されている。かかる特許文献１に記載されてなる照明装置を図１２，図１３を用いて説明する。なお、図１２は、従来のスピードメータに用いられる導光体（導光部材）の正面図であり、図１３は、図１２のＸ−Ｘ断面図である。図１２，図１３において、導光体２００は、例えばスピードメータの文字板前方側あるいは文字板背後側に設けられ、２０１〜２１０で示す凹部が光輝して、前記スピードメータにおける目盛の表示を行うものである。
【０００３】
つまり、図１２に記載された従来の照明装置は、光源（発光ダイオード）２２０からの光を導光体２００内に導入するための受光部２３０と、この受光部２３０から導入した照明光を正面側に反射して射出することにより、正面側から視認したとき光輝する前述した１０個の凹部（反射射出部）２０１〜２１０とを有する導光体２００を備えてなる。この場合、凹部２０１〜２１０は、導光体２００における裏面の外周側において、前記スピードメータの目盛として放射状に形成されてなる。また凹部２０１〜２１０は、各々反射射出面である２つの斜面Ｒ１，Ｒ２から構成されてなる。
【０００４】
そして、発光ダイオード２２０の点灯に伴い、受光部２３０を通じて導光体２００内に導入される発光ダイオード２２０からの照明光は、図１３中、矢印Ｙ１，Ｙ２にて示すように進み、斜面Ｒ１，Ｒ２で反射して、正面側に向かって射出されてなる。これにより、正面側から導光体２００を見ると斜面Ｒ１，Ｒ２、つまり凹部２０１〜２１０が光輝して前記目盛として視認される。
【特許文献１】特開２００３−３０２２６２号公報
【発明の開示】
【発明が解決しようとする課題】
【０００５】
しかしながら、上述したような従来の照明装置の場合、導光板２００に形成された目盛としての凹部２０１〜２１０は、発光ダイオード２２０からの距離が互いに異なる。このため、発光ダイオード２２０からの距離が離れている凹部２０１〜２１０ほど、発光ダイオード２２０から導かれる光量が少なくなり、例えば図１２のように発光ダイオード２２０からの距離が近い凹部２０１や凹部２１０に比べて、発光ダイオード１２０からの距離が遠い凹部２０５や凹部２０６の方が、正面側に射出する光量が少なくなる。これにより、凹部２０１〜２１０の輝度が各々異なり、発光ダイオード２２０から離れるに従い凹部２０１〜２１０の輝度が低くなる（例えば、図１２で凹部２０１と凹部２０５を比較した場合、両者の発光輝度が均一とはならない）ため、見栄えが悪いという問題があった。
そこで本発明は、前述の課題に対して対処するため、見栄えのよい表示を行うことが可能な照明装置の提供を目的とするものである。
【課題を解決するための手段】
【０００６】
光源からの照明光を導入する受光部と、前記受光部から導入した前記照明光を正面側に反射して射出することにより、前記正面側から視認したとき光輝する複数の反射射出部とを有し、前記反射射出部の光輝によって所定の表示を行う導光部材を備えた照明装置であって、前記導光部材には、前記受光部から前記反射射出部に至る照明経路中に前記照明光を前記反射射出部側に向けて反射するための反射手段が設けられてなり、前記反射手段が、前記各反射射出部のうち第１の反射射出部に前記照明光を反射させる第１の反射部と、前記第１の反射射出部の形成箇所よりも前記光源に近い位置となる第２の反射射出部に前記照明光を反射させる第２の反射部と、前記第２の反射射出部の形成箇所よりも前記光源に近い位置となる第３の反射射出部に前記照明光を反射させる第３の反射部とを備え、前記第２の反射部と前記第３の反射部とを組み合わせた形状の断面形状が鋸歯形状となっており、前記第２の反射部は鋸歯形状を水平ラインで上下半分に分けたときの下側部分に相当する谷形状をなすとともに前記第３の反射部は鋸歯形状を前記水平ラインで上下半分に分けたときの上側部分に相当する山形状をなすことを特徴する。
【０００７】
また本発明は、前記導光部材の前方側には、前記各反射射出部に対応した複数の貫通孔部を有する表示板が配設されてなることを特徴とする。
【発明の効果】
【０００８】
本発明によれば、初期の目的を達成でき、見栄えのよい表示を行うことが可能な照明装置を提供できる。
【発明を実施するための最良の形態】
【０００９】
以下、本発明の照明装置を車両に搭載されるスピードメータからなる計器装置に適用した場合を例に挙げて、添付図面に基づいて説明する。なお、図１は本発明の実施形態による計器装置の正面図、図２は図１のＡ−Ａ断面図、図３は同実施形態による導光部材の斜視図、図４は図３のＢ−Ｂ断面図、図５は図４中、Ｅ部を拡大して示す要部断面図、図６は図３のＤ−Ｄ断面図、図７は図３中、矢印Ｃ方向から見たときの反射手段を示す正面図、図８は図７のＦ−Ｆ断面図、図９は図７のＧ−Ｇ断面図、図１０は図４の所要部を拡大して示す拡大断面図、図１１は同実施形態による第２，第３の反射部によって導光部材の基部内に導かれる光を示す図である。
【００１０】
図１，図２において、本実施形態による計器装置Ｍは、回路基板１０と、この回路基板１０に導通装着され回転軸２０が前方に延びる駆動装置３０と、回転軸２０にて回転駆動される指針４０と、この指針４０の背後に位置して回路基板１０上に配置される表示板５０と、指針４０を照明する指針用光源６０と、表示板５０を照明する表示用光源７０と、回路基板１０と表示板５０との間に配置されるケース体８０と、このケース体８０の外縁（周縁）に載置される導光部材９０とから構成されてなる。
【００１１】
回路基板１０は、例えばガラスエポキシ系基材に配線パターン（図示せず）を施した硬質回路基板からなり、駆動装置３０の駆動・制御を行う駆動手段（図示せず）と、指針用光源６０と、表示用光源７０と、後述する光源と、抵抗、コンデンサ等の各種回路部品（図示せず）とが前記配線パターンに導通接続されている。
【００１２】
駆動装置３０は、可動磁石式計器またはステッピングモータからなり、回転軸２０が回路基板１０を貫通するように、その主要部が回路基板１０の背後に装着され、且つ半田付け等の適宜導通手段により前記配線パターン（前記駆動手段）に電気接続される。
【００１３】
指針４０は、透光性合成樹脂からなる指示部４１と、この指示部４１の回転中心部外周を覆う遮光性合成樹脂からなる指針キャップ４２とを備えている。指示部４１は、表示板５０の後述する指標部を指示するように線状に延び、また指針４０の回転中心部には、背後に配置された指針用光源６０から発せられる照明光を受光しその照明光を指示部４１の先端側に反射導光する受光部４３が形成されている。
【００１４】
表示板５０は、指針４０の回転軌道に沿った円弧状の配列形状を有し指示部４１の指示対象となる複数個の速度数字からなる指標部５１と、この指標部５１の背景を形成する背景部５２とを有している。
【００１５】
そして、この場合、前記各速度数字からなる指標部５１の周囲には、前記各速度数字に対応するように略矩形状からなる複数個の貫通孔部５３が速度目盛用の目盛孔として開口形成されてなる。なお、この複数の貫通孔部５３は、表示板５０（計器装置Ｍ）を正面から見たときに、導光部材９０の後述する複数の反射射出部と各々重なるような位置関係となっており、指標部５１と同様に指針４０の回転軌道に沿った円弧状の配列形状を有してなる。また、本実施形態では、１０個の貫通孔部５３のうち、速度目盛「０」〜「１８０」に対応する箇所を貫通孔部Ｋ１〜Ｋ１０と定義する（図１参照）。
【００１６】
なお、指標部５１，背景部５２は透光性合成樹脂からなる薄板状の基材５４の前面に形成された印刷層からなり、指標部５１は例えば白色の透光性インクにより形成され、背景部５２は例えば黒色の遮光性インクにより形成されている。これら指標部５１，背景部５２の各印刷層はスクリーン印刷等の手段を用いて印刷形成されている。また５５は、回転軸２０と指針４０との連結箇所に対応する貫通部である。
【００１７】
指針用光源６０は、例えば赤色光を発するチップ型発光ダイオードからなり、指針４０の前記回転中心部に対応する回路基板１０の前方側に複数個配置され、指示部４１を赤色に発光させる発光体である。
【００１８】
表示用光源７０は、例えば白色光を発するチップ型発光ダイオードからなり、ケース体８０の後述する第１の反射壁に対応する回路基板１０の前方側に複数個配置され、指標部５１を白色に発光させる発光体である。
【００１９】
ケース体８０は、白色の合成樹脂からなり、回路基板１０と表示板５０との間に位置して表示板５０を保持する保持体としての機能、指針用光源６０及び表示用光源７０からの光を前方側に反射する反射体としての機能等を有してなる。
【００２０】
かかるケース体８０は、表示板５０の貫通部５５に対応し指針用光源６０からの照明光を指針４０の受光部４３に導く開口部８１を有する筒状部８２と、この筒状部８２を取り巻くように表示板５０側に傾斜して延び表示用光源７０と対向する第１の反射壁８３と、表示用光源７０を収納する開放部８４と、この開放部８４から外周に向けて表示板５０に近接する皿形状の環状壁からなる第２の反射壁８５と、この第２の反射壁８５を取り巻くように第２の反射壁８５の外周に延在する略半円環状の平板部８６とを備えてなり、この平板部８６上に導光部材９０の後述する基部が載置されてなる。なお、表示用光源７０から発せられる照明光は、第１の反射壁８３を通じて第２の反射壁８５側に反射導光され、導光部材９０側には導かれないようになっているものとする。
【００２１】
導光部材９０は、アクリル樹脂等の透光性合成樹脂からなり、図３に示すように略馬蹄形状に形成される基部９１を備えてなる。そして、この基部９１の両端側には、ケース体８０の背後側に向かって垂下する一対の垂下部９２が形成されている。
【００２２】
かかる各垂下部９２の背後側には、一対の光源１００が、垂下部９２と対向配置されてなり、各光源１００から発せられる照明光は、各垂下部９２の下端面である略曲面形状からなる受光部（受光面）９２ａを通じて垂下部９２内部に略平行光束化された状態で導入され、後述する反射手段に向かうようになっているものとする。なお、光源１００は、例えば白色光を発するチップ型発光ダイオードからなり、受光部９２ａと対向するように回路基板１０上に実装されてなるものとする。
【００２３】
また、基部９１の背面（裏面）９１ａには、図４に示すように断面略Ｖ字形状の溝部である凹部９１ｂが、表示板５０に設けた各貫通孔部５３に対応した箇所に形成されてなり、かかるＶ字溝からなる凹部９１ｂの２辺に対応して一対の反射射出面９１ｃ，９１ｄが形成されてなる。なお、図４では、各凹部９１ｂにおいて、左側に反射射出面９１ｃが形成され、右側に反射射出面９１ｄが形成されてなる。
【００２４】
このことは、凹部９１ｂ、つまり一対の反射射出面９１ｃ，９１ｄが、受光部９２ａ，垂下部９２内部，基部９１内部へと順次導入される光源１００からの光を導光部材９０の前方側に配設される表示板５の貫通孔部Ｋ１〜Ｋ１０側に反射、射出して、光輝し、このとき表示板５０（計器装置Ｍ）を正面側（つまり、図４中、矢印Ｚ方向である観察者側）から見ると、反射射出面９１ｃの光輝によって表示板５０の指標部５１（前記速度数字）を取り巻くように速度目盛が発光表示されるようになっている。なお、凹部９１ｂ（一対の反射射出面９１ｃ，９１ｄ）が、請求項中における反射射出部に相当する。
【００２５】
つまり、本実施形態では、光源１００が点灯すると、光源１０から発せられる照明光が、光源１００と対向配置される受光部９２ａから垂下部９２内部に略平行光束化された状態で導入され、その後、基部９１内部（つまり、凹部９１ｂ）へと導かれる構成となる。この際、垂下部９２（受光部９２ａ）から基部９１（凹部９１ｂ）に至る照明経路中には、基部９１の両端側における表面箇所において、受光部９２ａから垂下部９２内部に導入した光源１００からの照明光を、複数個の反射射出部である各凹部９１ｂに向けて反射するための反射手段１１０が設けられてなる。
【００２６】
そして、貫通孔部Ｋ１〜Ｋ１０に対応する１０個の凹部９１ｂ箇所をそれぞれ凹部Ｍ１〜Ｍ１０と定義したとき（図１参照）、反射手段１１０は、垂下部９２内部に導入した光源１００からの照明光を凹部９１ｂのうち貫通孔部Ｋ３〜Ｋ８に対応する凹部Ｍ３〜Ｍ８に反射させるための第１の反射部１１１と、垂下部９２内部に導入した光源１００からの照明光を凹部９１ｂのうち貫通孔部Ｋ２，Ｋ９に対応する凹部Ｍ２，Ｍ９箇所に反射させるための第２の反射部１１２と、垂下部９２内部に導入した光源１００からの照明光を凹部９１ｂのうち残る貫通孔部Ｋ１，Ｋ１０に対応する凹部Ｍ１，Ｍ１０箇所に反射させるための第３の反射部１１３と、を備えてなる。
【００２７】
第１の反射部１１１は、基部９１の両端側における表面箇所の上方側に形成された傾斜面からなる。そして、垂下部９２内部に導入された各光源１００からの照明光は、前記傾斜面を通じて第１の反射射出部である凹部Ｍ３〜Ｍ８に向けて各々反射される。
【００２８】
第２の反射部１１２と第３の反射部１１３とは、図４のＥ部を拡大して示す図５と、図３のＤ−Ｄ断面図である図６、図３の矢印Ｃ方向から見たときの反射手段１１０の正面図である図７、図７のＦ−Ｆ断面図である図８並びに図７のＧ−Ｇ断面図である図９に詳しく示すように、第１の反射部１１１の下方側において第１の反射部１１１と隣接するように配設されてなる。なお、図５では、図６（図７）に示す谷線方向に沿った各反射部１１１〜１１３を含む基部９１の拡大断面図となっているものとする。
【００２９】
第２の反射部１１２は、その断面形状が図６に示すごとく略鋸歯形状を水平ラインＬで上下半分に分けたときの下側部分に相当してなり、かかる下側部分の形状は、一対の第１傾斜面１１２ａを有する谷形状をなし、各谷形状同士が水平ラインＬに沿って複数個並設された構成となっている。
【００３０】
第３の反射部１１３は、その断面形状が図６に示すごとく略鋸歯形状を水平ラインＬで上下半分に分けたときの上側部分に相当してなり、かかる上側部分の形状は、一対の第２傾斜面１１３ａを有する山形状をなし、各山形状同士が水平ラインＬに沿って複数個並設された構成となっている。なお、第３の反射部１１３における第２傾斜面１１３ａと第２の反射部における第１傾斜面１１２ａとは、略同一面Ｐ上に位置していることになる。
【００３１】
ところで、互いに隣接してなる一対の第２傾斜面１１３ａと、この隣接してなる一対の第２傾斜面１１３ａをサンドイッチするように形成されてなる２つの第１傾斜面１１２ａのみに着目したときに、この一対の第２傾斜面１１３ａと２つの第１傾斜面１１２ａとからなる部分は、その輪郭部分Ｊが正面から見ると、図７に示すごとく、あたかも珠盤の梁に取り付けられている珠のごとき略６角形状をなしている。
【００３２】
このことは、本実施形態における第２，第３の反射部１１２，１１３の全体形状は、その正面形状が前記珠を横方向に複数個（例えば６個）並べた形状をなしていることを意味してなる。そして、この場合、前記珠の両側面が、前記山形状におけるライン状の山線（稜線）に相当してなり、前記珠を左右２等分するように前記両側面の略中央部分に位置する中央線が、前記谷形状におけるライン状の谷線に相当してなる。なお、単一の前記珠において、第１傾斜面１１２ａと第２傾斜面１１３ａとの境界線は、前述した水平ラインＬに一致してなるものとする。
【００３３】
なお、本実施形態の場合、図５に示すように第２の反射部１１２と第３の反射部１１３とを組み合わせた形状は、山線（稜線）と谷線とが非平行状態となる台形形状のごとき形状をなしている。
【００３４】
具体的には、山線（幾何学的に言うなら台形の上底部分）の両端と、谷線（幾何学的に言うなら台形の下底部分）の両端とを繋ぐ台形の２つの斜辺は、図５中、下方側に位置する斜辺が、図５中、上方側に位置する斜辺よりもいくらか長い寸法設定となっていることに起因にして、第２の反射部１１２と第３の反射部１１３とを組み合わせた形状は、山線（稜線）と谷線とが平行状態ではなく、歪形状の台形形状をなしてなる。
【００３５】
なお、図５中、上方側に位置する斜辺の中点と、図５中、下方側に位置する斜辺の中点とを結んだ線が、前述した水平ラインＬとなっているものとする。
【００３６】
さらに、付け加えれば、第２の反射部１１２と第３の反射部１１３とを組み合わせた形状が、歪形状の台形形状をなしてなることは、前記珠の長手方向において、異なる２つの位置での断面形状を示した図８、図９からも幾何学的に明らかである。
【００３７】
つまり、図７における１つの前記珠において、略中央部分の断面図である図８と、前記略中央部分よりも下方に位置する箇所（換言すれば図５中、下方側に位置する斜辺の近傍部分）での断面図である図９とを比べれば、連なるように設けられる第２の反射部１１２と第３の反射部１１３とを合わせた線分の長さは、図９にて示す線分の長さが、図８に示す線分の長さよりもやや長くなるように設定されてなる（図９の高さ寸法Ｈ２が、図８の高さ寸法Ｈ１よりも長い寸法に設定されてなる）。
【００３８】
ところで、垂下部９２内部に導入した各光源１００からの照明光は、前述したように水平ラインＬの下側に位置する複数個の第１傾斜面１１２ａ（第２の反射部１１２）を通じて、凹部Ｍ３〜Ｍ８の形成箇所よりも光源１００に近い位置となる第２の反射射出部である凹部Ｍ２並びに凹部Ｍ９に向けて反射される。
【００３９】
また、垂下部９２内部に導入した各光源１００からの照明光は、前述したように水平ラインＬの上側に位置する複数個の第２傾斜面１１３ａ（第３の反射部１１３）を通じて、凹部Ｍ２，Ｍ９の形成箇所よりも光源１００に近い位置となる第３の反射射出部である凹部Ｍ１並びに凹部Ｍ１０に向けて反射される。
【００４０】
本発明の発明者らは、光源１００から受光部９２ａ、垂下部９２、反射手段１１０を経て各凹部９１ｂ（凹部Ｍ１〜Ｍ１０）に至る照明光の光路解析をした結果、反射手段１１０に３種類の異なる反射面（各反射部１１１〜１１３）を形成したことで、凹部Ｍ１〜Ｍ１０が略均一の輝度にてそれぞれ光輝し、これに伴い前記各速度数字に対応する前記各速度目盛が略均一に発光表示される、という結果を得た。
【００４１】
具体的には、前述した３種類の異なる反射面のうち、第１の反射部１１１においては、各光源１００からの照明光が、垂下部９２内部，第１の反射部１１１，基部９１内部へとそれぞれ順次導かれる。
【００４２】
この際、第１の反射部１１１によって基部９１内部に反射導光される照明光のうち、図４中、左側に位置する光源１００からの照明光は、基部９１の表面９１ｅと凹部Ｍ１，Ｍ２との間を通過して、その後、各凹部Ｍ３〜Ｍ８の左側に位置する反射射出面９１ｃにあたってそのまま真上に反射導光されるとともに、図４中、右側に位置する光源１００からの照明光は、基部９１の表面９１ｅと凹部Ｍ９，Ｍ１０との間を通過して、その後、各凹部Ｍ３〜Ｍ８の右側に位置する反射射出面９１ｄにあたってそのまま真上に反射導光される。その結果、速度数字「４０」〜「１４０」に対応する６個の速度目盛が、凹部Ｍ３〜Ｍ８の光輝に伴い略均一に発光表示される。
【００４３】
また、谷線近傍に位置する第２の反射部１１２側においては、山線近傍に位置する第３の反射部１１３側よりも、急勾配（傾斜角度大）となっている（図５参照）ことに起因して、図１０に示すように第２の反射部１１２によって基部９１内部に反射導光される照明光は、第２の反射部１１２の形成箇所よりも上方側に進む。つまり、図１０の断面図で見ると、光源１００からの光路Ｈ１は、まず受光部９２ａ、垂下部９２、第２の反射部１１２という光路を経て、第２の反射部１１２に至り、その後、第２の反射部１１２によって基部９１の上側（表面９１ｅ側）に反射光として反射導光される。
【００４４】
すなわち、かかる反射光は、凹部Ｍ１と基部９１の表面９１ｅとの間を通過した後、貫通孔部Ｋ１と貫通孔部Ｋ２との間に相当する部位に対応する表面９１ｅ箇所にあたって凹部Ｍ２側に集約された状態で反射導光される。そして、凹部Ｍ２（つまり、図４中、凹部Ｍ２における反射射出面９１ｃ）にあたってそのまま真上に反射導光される。
【００４５】
このことを図１１を用いて説明すれば、図１０において、第２の反射部１１２によって基部９１側に反射導光される反射光（つまり、光路Ｈ１）とは、図１１中、第２の反射部１１２（前記谷形状）における複数個の谷線部分によって基部９１側に直進するように反射導光される第１反射光と、この複数個の谷線部分を除いた斜面の各部分によって基部９１側に直進せずに斜め方向に反射導光される第２反射光と、から構成されてなる。
【００４６】
そして、前記第１反射光は、複数個の谷線部分を通じて反射され、基部９１内を直進光として進む。かかる直進光は、図１０のように凹部Ｍ１の上方を通り、その後、表面９１ｅにあたって凹部Ｍ２に向けてそれぞれ反射導光されてなる。
【００４７】
他方、前記第２反射光は、谷線部分を除く第１傾斜面１１２ａの各箇所から斜め方向に反射される反射光となって、背面９１ａと表面９１ｅとを繋ぐ基部９１ａの内壁面や外壁面にて反射を繰り返して、基部９１内における凹部Ｍ１の上方を通りつつ、大部分が凹部Ｍ２に向けてそれぞれ反射導光されてなる。その結果、第２の反射部１１２を採用したことに伴い、照明光が馬蹄形状の基部９１内に略均一に進むから、凹部Ｍ２を輝度ムラなく光輝させることができる。
【００４８】
このとき、凹部Ｍ２の光輝によって視認される速度目盛は、前記第１反射光と前記第２反射光とが集約された状態で凹部Ｍ２に向けて導光されることに起因して、速度数字「４０」〜「１４０」に対応する６個の速度目盛と略同一の輝度にて発光表示される、ということが本発明者らの光路解析結果により得られた。
【００４９】
なお、図４中、右側に位置する光源１００からの照明光についても同様に、受光部９２ａ、垂下部９２、第２の反射部１１２という光路を経て、これにより凹部Ｍ９が凹部Ｍ２と略同一の輝度を有するように発光表示されることは言うまでもない。このことは、速度数字「２０」，「１６０」に対応する２個の速度目盛が、凹部Ｍ２，Ｍ９の光輝に伴い、速度数字「４０」〜「１４０」に対応する６個の速度目盛と略同一の輝度にて発光表示されることを意味してなる。
【００５０】
次に、山線近傍に位置する第３の反射部１１３側においては、谷線近傍に位置する第２の反射部１１２側よりも、緩やかな勾配となっている（図５参照）ことに起因して、図１０に示すように第３の反射部１１３によって基部９１内部に反射導光される照明光は、凹部Ｍ２よりも手前側（光源１００側）、つまり基部９１ａの背面９１側に進む。つまり、図１０の断面図で見ると、光源１００からの光路Ｈ２は、まず受光部９２ａ、垂下部９２、第３の反射部１１３という光路を経て、第３の反射部１１３に至り、その後、第３の反射部１１３によって基部９１の下側（背面９１ａ側）に反射光として反射導光される。
【００５１】
すなわち、かかる反射光は、ダイレクトに凹部Ｍ１側に集約された状態で反射導光される。そして、凹部Ｍ１（つまり、図４中、凹部Ｍ１における反射射出面９１ｃ）にあたってそのまま真上に反射導光される。
【００５２】
このことを図１１を用いて説明すれば、図１０において、第３の反射部１１３によって基部９１側に反射導光される反射光（つまり、光路Ｈ２）とは、図１１中、第３の反射部１１３（前記山形状）における複数個の山線部分によって基部９１側に直進するように反射導光される第３反射光と、この複数個の山線部分を除いた斜面の各部分によって基部９１側に直進せずに斜め方向に反射導光される第４反射光と、から構成されてなる。
【００５３】
そして、前記第３反射光は、複数個の山線部分を通じて反射され、基部９１内を直進光として進む。かかる直進光は、図１０のように凹部Ｍ１に向けてそれぞれ反射導光されてなる。
【００５４】
他方、前記第４反射光は、山線部分を除く第２傾斜面１１３ａの各箇所から斜め方向に反射される反射光となって、背面９１ａと表面９１ｅとを繋ぐ基部９１ａの内壁面や外壁面にて反射を繰り返して、大部分が凹部Ｍ１に向けてそれぞれ反射導光されてなる。その結果、第３の反射部１１３を採用したことに伴い、照明光が馬蹄形状の基部９１内に略均一に進むから、凹部Ｍ１を輝度ムラなく光輝させることができる。
【００５５】
このとき、凹部Ｍ１の光輝によって視認される速度目盛は、前記第３反射光と前記第４反射光とが集約された状態で凹部Ｍ１に向けて導光されることに起因して、速度数字「２０」〜「１６０」に対応する８個の速度目盛と略同一の輝度にて発光表示される、ということが本発明者らの光路解析結果により得られた。
【００５６】
なお、図４中、右側に位置する光源１００からの照明光についても同様に、受光部９２ａ、垂下部９２、第３の反射部１１３という光路を経て、これにより凹部Ｍ１０が凹部Ｍ１と略同一の輝度を有するように発光表示されることは言うまでもない。このことは、速度数字「０」，「１８０」に対応する２個の速度目盛が、凹部Ｍ１，Ｍ１０の光輝に伴い、速度数字「２０」〜「１６０」に対応する８個の速度目盛と略同一の輝度にて発光表示されることを意味してなる。
【００５７】
かかる実施形態によれば、導光部材９０には、受光部９２ａから各凹部９１ｂに至る照明経路中に光源１００からの照明光を各凹部９１ｂ側に向けて反射するための反射手段１１０が設けられてなり、反射手段１１０が、各凹部９１ｂのうち第１の反射射出部である凹部Ｍ３〜Ｍ８に照明光を反射させる第１の反射部１１１と、凹部Ｍ３〜Ｍ８の形成箇所よりも光源１００に近い位置となる第２の反射射出部である凹部Ｍ２並びに凹部Ｍ９に照明光を反射させる第２の反射部１１２と、凹部Ｍ２並びに凹部Ｍ９の形成箇所よりも光源１００に近い位置となる第３の反射射出部である凹部Ｍ１並びに凹部Ｍ１０に照明光を反射させる第３の反射部１１３とを備えてなるものである。また、導光部材９０の前方側には、各凹部９１ｂに対応した複数の貫通孔部５３を有する表示板５０が配設されてなる。
【００５８】
従って、上述したように光源１００からの距離に関係なく、凹部Ｍ１〜Ｍ１０を略同一の輝度にて光輝させる（換言すれば、前記各速度目盛を略同一の輝度にて発光表示させる）ことが可能となり、見栄えのよい表示を行うことができる。
【００５９】
また本実施形態では、各凹部９１ｂが、各貫通孔部５３に対応する基部９１の背面９１ａ箇所に形成されてなる例について説明したが、例えば各凹部９１ａを各貫通孔部５３に対応する基部９１の表面９１ｅ箇所に設ける構成としてもよい。なお、このように各凹部９１ｂを基部９１の表面９１ｅに設ける場合、各凹部９１ｂに光源１００からの照明光があたるように各反射部１１１〜１１３の傾斜角度を、本実施形態にて設定した傾斜角度に対し異ならせる必要があることは言うまでもない。
【００６０】
また本実施形態では、反射手段１１０における第２の反射部１１２と第３の反射部１１３とで断面形状が略鋸歯形状をなしている、つまり第２の反射部１１２が一対の第１傾斜面１１２ａを備えるとともに第３の反射部１１３が一対の第２傾斜面１１３ａを備える例について説明したが、第２の反射部１１２と第３の反射部１１３とを組み合わせた断面形状は、凹部Ｍ１〜Ｍ１０を均一に光輝させるものであれば略鋸歯形状に限らずあらゆる形状を採用することができ、例えば第１傾斜面１１２ａや第２傾斜面１１３ａを断面形状が曲面形状（略Ｕ字形状）をなすような構成としてもよいし、さらには稜線側に隣接するように位置する一対の第２傾斜面１１３ａの先端部同士を水平ラインＬと略平行なラインで結び、反射部１１３の断面形状が略台形形状となるような構成としてもよい。
【００６１】
また本実施形態では、導光部材９０（基部９１）の表面９１ｅが、表示板５０の背後に位置してなる例について説明したが、例えば各凹部９１ｂに対応する表面９１ｅ箇所を凸形状に各々形成して、前記各凸形状の少なくとも一部を表示板５０の前方側に飛び出させる（突出させる）ような構成としてもよい。このことは、前記各凸形状が各貫通孔部５３を通って表示板５０の前方側に飛び出すことを意味している。
【００６２】
なお本実施形態では、表示板５０が、略馬蹄形状の基部９１並びに垂下部９２を覆うように導光部材９０の前方側に配設されてなる例について説明したが、例えば表示板５０に設けた貫通孔部５３を廃止して、この貫通孔部５３の廃止された表示板５０を垂下部９２を避けるように基部９１の背後側に配設する構成としてもよい。但し、この場合、垂下部９２や各反射部１１１〜１１３は、観察者側から視認されないように見返し部材等で隠蔽する必要がある。
【図面の簡単な説明】
【００６３】
【図１】本発明の実施形態による計器装置の正面図である。
【図２】図１のＡ−Ａ断面図である。
【図３】同実施形態による導光部材の斜視図である。
【図４】図３のＢ−Ｂ断面図である。
【図５】図４中、Ｅ部を拡大して示す要部断面図である。
【図６】図３のＤ−Ｄ断面図である。
【図７】図３中、矢印Ｃ方向から見たときの反射手段を示す正面図である。
【図８】図７のＦ−Ｆ断面図である。
【図９】図７のＧ−Ｇ断面図である。
【図１０】図４の所要部を拡大して示す拡大断面図である。
【図１１】同実施形態による第２，第３の反射部によって導光部材の基部内に導かれる光を示す図である。
【図１２】従来技術による導光部材の正面図である。
【図１３】図１０のＸ−Ｘ断面図である。
【符号の説明】
【００６４】
５０    表示板
５１    指標部
５３（Ｋ１〜Ｋ１０）  貫通孔部
９０    導光部材
９１    基部
９１ｂ  凹部（反射射出部）
９１ｃ，９１ｄ  反射射出面（反射射出部）
９２    垂下部
９２ａ  受光部（受光面）
１００    光源
１１０    反射手段
１１１    第１の反射部
１１２    第２の反射部
１１２ａ  第１傾斜面
１１３    第３の反射部
１１３ａ  第２傾斜面
Ｈ１，Ｈ２  光路
Ｌ    水平ライン
Ｍ１，Ｍ１０  第１の反射射出部（凹部）
Ｍ２，Ｍ９    第２の反射射出部（凹部）
Ｍ３〜Ｍ８    第３の反射射出部（凹部）
【図１】
0004985966.tif 000002
【図２】
0004985966.tif 000003
【図３】
0004985966.tif 000004
【図４】
0004985966.tif 000005
【図５】
0004985966.tif 000006
【図６】
0004985966.tif 000007
【図７】
0004985966.tif 000008
【図８】
0004985966.tif 000009
【図９】
0004985966.tif 000010
【図１０】
0004985966.tif 000011
【図１１】
0004985966.tif 000012
【図１２】
0004985966.tif 000013
【図１３】
0004985966.tif 000014